(57)【要約】【課題】建設機械の液体注入口装置において、作業者が、注入口のキャップが加熱されていても開閉を容易に行うことができ、また注入口が複数設置されていても注入口を容易に区別、識別することができるようにする。【解決手段】注入口に、手動操作による開閉を自在に取付けられたキャップに、キャップとともに開閉操作を可能に被嵌されたキャップカバーを備える。そして、キャップカバーによって開閉操作する手にキャップの熱が伝わらないようにし、キャップカバーの色を変えるなどにより注入口を容易に区別、識別できるようにする。【選択図】図２
2005145487.tif 000002
【特許請求の範囲】
【請求項１】
建設機械に備えられた液体の注入口に、手動操作による開閉を自在に取付けられたキャップと、このキャップにキャップとともに該開閉操作を可能に被嵌されたキャップカバーとを備えている、ことを特徴とする建設機械の液体注入口装置。
【請求項２】
該キャップカバーが、該キャップが挿通される開口部と、この開口部に形成され該キャップにキャップカバーを着脱自在に係止させる複数個の係合突起とを備えている、請求項１記載の建設機械の液体注入口装置。
【請求項３】
該キャップカバーが、少なくとも該開閉操作において操作する手が触れる部分に備えられている、請求項１又は２記載の建設機械の液体注入口装置。
【請求項４】
該キャップカバーが、合成樹脂によって形成されている、請求項１から３までのいずれかに記載の建設機械の液体注入口装置。
【請求項５】
該キャップカバーが、それが設置される部分の周囲の色と同色に着色されている、請求項１から４までのいずれかに記載の建設機械の液体注入口装置。
【請求項６】
該注入口が該建設機械に複数備えられ、注入口それぞれのキャップに被嵌されたキャップカバーが色分けされている、請求項１から４までのいずれかに記載の建設機械の液体注入口装置。
【発明の詳細な説明】
【技術分野】
【０００１】
本発明は、建設機械の燃料タンクの燃料注入口、作動油タンクの作動油注入口など、燃料、作動油、水などの液体を注入するための液体注入口装置に関する。
【背景技術】
【０００２】
建設機械、例えば典型的な建設機械である油圧ショベルは、燃料、作動油、水など種々の液体を充填、補給するための注入口を有した液体注入口装置を多数備えている。この注入口の各々には作業者が手で開閉操作を行うキャップが取付けられている（例えば、特許文献１参照）。
【０００３】
キャップの典型例は、注入口に螺子あるいは係合ノッチなどによって着脱自在に固定され、建設作業現場において障害物などと接触して破損しないように、あるいはいたずらによって破損されないように、金属鋳物によって、あるいは鋼板を成形して、さらに施錠を可能に形成されている。
【０００４】
これらのキャップの中で特に、燃料タンクの燃料注入口に備えられるキャップは、建設機械の特徴として作業負荷が大きく燃料が多量に消費されるので、作業の形態に応じて毎日、あるいは一日に数回開閉されて燃料が補給される。
【０００５】
【特許文献１】特開２００３−２１１９８３号公報
【発明の開示】
【発明が解決しようとする課題】
【０００６】
上述したとおりの形態の従来の建設機械の液体注入口装置には、次のとおりの改善の望まれている問題がある。
【０００７】
（１）開閉操作：
給油の頻度の高い燃料タンクは、給油作業を容易に行うことができるように注入口及びキャップが建設機械の機体の外側面に設置されているので、キャップは炎天下の直射日光にさらされる。また、建設機械の機体はコンパクトにまとめられているので、燃料タンクはエンジンなどの熱源に近いところに設置されことが多く、タンクは加熱されやすい。さらに、キャップの開閉頻度は比較的少ないが作動油、潤滑油などの注入口、またエンジンの冷却水の注入口などにおいては、収容されている作動油、冷却水などが加熱される。したがって、金属製のキャップは熱くなり、開閉操作の必要なときに作業者が手で直接触れることができなくなる、あるいは熱いために十分に開閉操作ができないことがある。
【０００８】
（２）複数注入口の区別：
建設機械には、燃料、作動油、潤滑油、冷却水などを充填、補給するために複数の液体注入口が備えられている。特にキャップが共通に用いられ注入口が隣接し類似の液体が注入される場合には、注入口を、また液体の種類を間違えやすい。
【０００９】
本発明は上記事実に鑑みてなされたもので、その技術的課題は、建設機械の液体注入口装置において、作業者が、注入口のキャップが加熱されていても開閉を容易に行うことができ、また注入口が複数設置されていても注入口を容易に区別、識別することができるようにすることである。
【課題を解決するための手段】
【００１０】
本発明によれば上記技術的課題を解決する液体注入口装置として、建設機械に備えられた液体の注入口に、手動操作による開閉を自在に取付けられたキャップと、このキャップにキャップとともに該開閉操作を可能に被嵌されたキャップカバーとを備えている、ことを特徴とする建設機械の液体注入口装置が提供される。
【発明の効果】
【００１１】
本発明に従って構成された建設機械の液体注入口装置によれば、液体の注入口に開閉自在に取付けられたキャップに、キャップと一体になって開閉操作を可能に被嵌されたキャップカバーが備えられている。したがって、キャップが加熱した状態であってもキャップカバーは別体であり、また例えば加熱されにくい材料で形成しておけば、熱に影響されないでキャップを容易に手で開閉操作することができる。また、液体の注入口が複数あってもキャップカバーを例えば色を違えておけば、容易に区別することができる。
【発明を実施するための最良の形態】
【００１２】
以下、本発明に従って構成された建設機械の液体注入口装置について、典型的な建設機械である油圧ショベルにおける好適実施形態を図示している添付図面を参照して、さらに詳細に説明する。
【００１３】
油圧ショベルの機体の一部である上部旋回体を示した図１を参照して説明する。全体を番号２で示す上部旋回体は、その外側面に形成された凹部４に上部旋回体２内に装備された燃料タンクへ燃料を注入するための液体注入口装置である燃料注入口装置６を備えている。
【００１４】
この燃料注入口装置６の部分の拡大図である図２、並びにその構成部品の拡大詳細図である図３〜図５を参照して説明する。燃料注入口装置６は、燃料の注入口８（図５（ｂ））に手動操作による開閉を自在に取付けられたキャップ１０と、キャップ１０と一体になって開閉操作を可能にキャップ１０に被嵌されたキャップカバー１２を備えている。
【００１５】
キャップ１０について主として図３を参照して説明する。キャップ１０は、当業者には周知のものであり、鋼板をプレス成形して形成された一面側が閉じられた円筒皿状のキャップ本体１０ａと、操作片１０ｂを備えて矢印Ｙ方向に揺動開閉されるカバー１０ｃと、カバー１０ｃにより閉じられた部分に設けられた施錠ロック１０ｄを備えている。キャップ本体１０ａの円筒状の外周には、周方向に４個所等間隔に手動開閉用の突部１０ｅが形成されている。キャップ１０は、キャップ本体１０ａを外周部の突部１０ｅに手指をかけてつかみ、注入口８（図５（ｂ））に対して周方向に所定の角度回すことにより、開閉される。
【００１６】
キャップカバー１２について主として図４及び図５を参照して説明する。キャップカバー１２は、合成樹脂のナイロンによって一体に成形されている。キャップカバー１２は、キャップ１０の円筒皿状のキャップ本体１０ａ（図３）の周縁部に被せられ、キャップ１０が挿通される円形の開口部１４を有したカバー本体１２ａと、キャップ１０のカバー１０ｃ及び施錠ロック手段１０ｄの部分を露出開放させる開口１２ｂと、開口１２ｂの縁に立設された一対の立壁１２ｃ、１２ｃを備えている。カバー本体１２ａの円筒部には周方向に等間隔で４個所にキャップ１０の手動開閉用の突部１０ｅに重なる形状の突部１２ｄが形成されている。
【００１７】
キャップカバー１２の色は、キャップカバー１２の周辺の上部旋回体２の色、黒色に合わせて黒色とし、美観を向上させている。
【００１８】
なおキャップカバー１２には、キャップ１０の一部が露出開放される開口１２ｂが形成されているが、キャップカバー１２は、キャップ１０全体に被せる必要はなく、少なくとも開閉操作において操作する手がキャップ１０に触れないように形成すればよい。
【００１９】
キャップカバー１２はまた、図５に示すように、キャップ１０が挿通される開口部１４の開口端の周縁に、キャップ１０にキャップカバー１２を着脱自在に係止する複数個（図示の実施例は４個）の内方に向けて突出した係合突起１６を備えている。
【００２０】
このキャップカバー１２は、建設機械の複数の注入口に用いられる場合には、識別のために色分けしてもよい。
【００２１】
そして、キャップカバー１２の材料には、ナイロンのように、熱伝導率が小さく、耐熱性、耐摩耗性、靱性、耐薬品性等にすぐれた合成樹脂、あるいは他の適宜の材料を用いるのが好都合である。
【００２２】
また、キャップカバー１２の形状は、それが被嵌されるキャップ１０と一体となって開閉操作を可能にするように形成される。したがって、キャップの形状が実施例のキャップ１０と異なる場合には、その形状に合わせてキャップカバーを形成すればよい。
【００２３】
上述したとおりの建設機械の液体注入口装置６の作用について説明する。
【００２４】
液体注入口装置６によれば、注入口８に開閉自在に取付けられたキャップ１０に、キャップ１０とともにキャップ１０の開閉操作を可能にキャップカバー１２が被嵌されている。したがって、キャップ１０が加熱した状態であってもキャップ１０に直接触れることなくキャップカバー１２を介して容易に開閉操作することができる。また、キャップ１０は炎天下の直射日光にさらされても加熱されにくい。さらに、キャップカバー１２は、キャップ１０が異物などに当接して損傷されるのを保護する保護部材としても機能する。
【００２５】
キャップカバー１２は、キャップ１０に被嵌するときにキャップ１０が挿通される開口部１４の周縁に、キャップ１０にキャップカバー１２を着脱自在に係止する複数個の係合突起１６を備えている。したがって、キャップ１０に確実にかつ容易に取り付けられる。
【００２６】
キャップカバー１２の材料に、ナイロンのような熱伝導率の小さい材料を用いることにより、キャップ１０が加熱されてもその熱が開閉操作する手に伝わりにくく、また直射日光にさらされてもキャップ１０は加熱されにくい。
【００２７】
また、キャップカバー１２の色は、キャップカバー１２の周辺の上部旋回体２の色、黒色に合わせて黒色としたので美観が向上される。キャップカバーが複数個所、特に機体の外側部に取り付けられる場合には、それぞれの設置場所に合わせた色に着色するとよい。
【００２８】
さらに、注入口が複数備えられる場合にキャップカバー１２を注入する液体に応じて色分けすれば、例えば冷却水注入口は水色、燃料注入口は赤色、作動油注入口は黄色にすると、液体の注入口が複数設置されていても混同することなく容易に注入口を区別、識別することができる。
【図面の簡単な説明】
【００２９】
【図１】本発明に従って構成された液体注入口装置である燃料注入口装置を備えた典型的な建設機械である油圧ショベルの上部旋回体の斜視図。
【図２】図１に矢印Ａで示した燃料注入口装置の部分の拡大斜視図。
【図３】図２の燃料注入口装置に用いられているキャップの拡大斜視図。
【図４】図２の燃料注入口装置に用いられているキャップカバーの拡大斜視図。
【図５】（ａ）は図４のキャップカバーを矢印Ｂ方向にその開口部の側から見た図。（ｂ）は（ａ）に示す矢印Ｃ-Ｃ方向に見た断面図。
【符号の説明】
【００３０】
６：燃料注入口装置（液体注入口装置）
８：注入口
１０：キャップ
１２：キャップカバー
１４：開口部
１６：係合突起
【図１】
2005145487.tif 000003
【図２】
2005145487.tif 000004
【図３】
2005145487.tif 000005
【図４】
2005145487.tif 000006
【図５】
2005145487.tif 000007